(57)【要約】  【課題】  床用に適し、現場における幅詰め作業を省くことにより作業性を向上して廃材の発生を抑えることのできる床用断熱材を提供する。  【解決手段】  幅方向の圧縮力に強いすなわち幅方向に縮みにくい中央部２１の幅方向両側に、幅方向に柔軟すなわち幅方向に縮みやすい側部２２を設けたので、床用断熱材１０Ａに幅方向の圧縮力を作用させると、側部２２が圧縮されて幅方向の寸法を小さくでき、幅詰めを行うことなく床用断熱材１０Ａを取り付けることができる。また、幅広の中央部２１の底面２１１には、強度を有する支持材２３が貼着されているので、中央部２１の底面２１１に引っ張り応力を生じるような外力に対する強度を増すことができる。【選択図】  図２
2012031565.tif 000002
【特許請求の範囲】
【請求項１】
板状もしくはマット状の断熱材を用いた床用断熱材であって、
幅方向の圧縮力に強い幅広な中央部と、
前記中央部の幅方向両側に設けられ、前記幅方向に柔軟で幅狭な側部と、を有し、
少なくとも前記中央部の底面には透湿性を有する支持材が貼着されていることを特徴とする床用断熱材。
【請求項２】
前記側部は、前記中央部と同材料または柔軟性を有する別材料からなる請求項１に記載の床用断熱材。
【請求項３】
前記側部は前記中央部端面に接触し、前記側部の底面が前記支持材に貼着されている請求項1または２に記載の床用断熱材。
【請求項４】
前記側部は、前記中央部の端面に接着されている請求項1または２に記載の床用断熱材。
【請求項５】
前記側部は、前記中央部から離れた位置で底面が前記支持材に貼着されている請求項1または２に記載の床用断熱材。
【請求項６】
前記側部の底面は、前記中央部と反対側端辺から５ｍｍ以上離れて前記支持材に貼着されている請求項３に記載の床用断熱材。
【請求項７】
前記側部の底面は、前記支持材に貼着されていないことを特徴とする請求項４に記載の床用断熱材。
【請求項８】
前記中央部がグラスウール又はロックウールであり、密度が１６〜６４ｋｇ／ｍ3である請求項1〜７のいずれかに記載の床用断熱材。
【請求項９】
前記側部は、側部単体で幅方向に９０％押圧したときの反発力が０．０１〜２．０ｋＮ／ｍ2である請求項1〜８のいずれかに記載の床用断熱材。
【請求項１０】
前記側部がグラスウール又はロックウールであり、密度が８〜４８ｋｇ／ｍ3である請求項1〜９のいずれかに記載の床用断熱材。
【請求項１１】
前記側部の幅が、５ｍｍ〜１５０ｍｍであることを特徴とする請求項1〜１０のいずれかに記載の床用断熱材。
【発明の詳細な説明】
【技術分野】
【０００１】
本発明は、住宅等の建築物の床組の間に用いられる床用断熱材に関する。
【背景技術】
【０００２】
従来より、主に木造や鉄骨造の住宅等の建築物においては、省エネルギーおよび室温における快適な居住環境づくりの観点から、床組の大引間や大引上の根太間に断熱材を取り付けることが行われている。この際に、受けピン等の留め具を用いずに床用断熱材を大引間や大引上の根太間に取り付けることができる断熱材が提案されている（例えば特許文献１、特許文献２参照）。
【０００３】
図６に示すように、特許文献１に記載の断熱材１００では、無機繊維を積層させた繊維積層体を繊維方向と直交する方向に切断した切断積層体１０１と、この切断積層体１０１を９０度回転させて繊維方向が直交する回転積層体１０２とを形成する。そして、切断積層体および回転積層体を、切断方向と直交する幅方向に一体化して断熱材１００を形成する。
【０００４】
これにより、断熱材１００を装着する部位の幅が狭い場合に、断熱材１００の幅方向の圧縮を可能にし、現場において柱間の間隔に合わせてカットする工程を省くことができる。
【０００５】
また、図７に示すように、特許文献２に記載の床用断熱材１１０では、板状に成形され、柔軟性を有する断熱板１１１の片面（底面）に不織布１１２を貼着している。このとき、不織布１１２は、断熱板１１１の少なくとも一方の端縁から５ｍｍ以上離れて接着層１１５により貼着されている。また、不織布１１２には、幅方向の両側に延出した延出部１１３、１１３が設けられている。
従って、床用断熱材１１０を床組の大引又は根太間に取り付けると、不織布１１２の延出部１１３は、床用断熱材１１０の両側面１１４、１１４を覆うとともに、さらに大引又は根太の上面まで達する。
【０００６】
これにより、不織布１１２が、断熱板１１１の少なくとも一方の端縁から５ｍｍ以上離れて貼着されているので、断熱板１１１の幅が取付部位の寸法よりも大きすぎる場合に、不織布１１２が貼着されていない部分で断熱板１１１を容易にカットすることができる。
【先行技術文献】
【特許文献】
【０００７】
【特許文献１】ＷＯ２００４−００８０１７号公報（第１５図）
【特許文献２】特開２００８−１９６２７０号公報（第１図）
【発明の概要】
【発明が解決しようとする課題】
【０００８】
しかしながら、前述した特許文献１に記載の断熱材１００では、断熱材１００の長手方向への圧縮力には強いため、壁のように立てて使用するのに適するものの、床用断熱材には適さない。すなわち、床用として水平に用いる場合には、断熱材１００の幅方向両端を始点として，自重等の下向きの外力が荷重として働き、撓みが生じやすくなり、これにより断熱欠損が生じやすく、床用断熱材には適さないという問題がある。
【０００９】
また、前述した特許文献２に記載の床用断熱材１１０では、現場における幅詰め作業が要求されるので、作業性に改善の余地があるとともに、廃材の発生という問題があった。
【００１０】
本発明は、従来の問題を解決するためになされたもので、床用に適し、現場における幅詰め作業を省くことにより作業性を向上して廃材の発生を抑えることのできる床用断熱材を提供することを目的とする。
【課題を解決するための手段】
【００１１】
本発明の床用断熱材は、板状もしくはマット状の断熱材を用いた床用断熱材であって、幅方向の圧縮力に強い幅広な中央部と、前記中央部の幅方向両側に設けられ、前記幅方向に柔軟で幅狭な側部とを有し、少なくとも前記中央部の底面には柔軟性、引っ張り強度、透湿性を有する支持材が貼着されている構成を有している。
【００１２】
この構成により、幅方向の圧縮力に強いすなわち幅方向に縮みにくい中央部の幅方向両側に、幅方向に柔軟すなわち幅方向に縮みやすい側部を設けたため、床用断熱材に幅方向の圧縮力を作用させると、側部が圧縮されて幅方向の寸法を小さくできる。これにより、現場で床用断熱材を設置する例えば大引間の寸法が小さい場合でも、幅詰めを行うことなく床用断熱材を取り付けることができ、作業効率を改善してコストダウンを図ることができる。なお、「柔軟」あるいは「柔軟性」という場合の柔軟という言葉は、単に軟らかいだけでなく、ある程度弾性変形して、元の状態に復帰しようとする性質を意味するものとする。
また、幅方向の圧縮力を取り除くと、柔軟な側部は幅方向に復帰しようとして、その反発力により床用断熱材は大引又は根太間に隙間なく保持されるため、断熱材の充填が容易となるばかりでなく、その後に大引又は根太間に支持材を取り付ける作業においても断熱材が保持されているため別途断熱材を支えておく必要がない。また大引等の枠内に断熱材が隙間なく充填されるため断熱欠損が小さくなる。
さらに、幅詰めを行わないことにより、建築現場での廃材の発生を削減することができる。
また、支持材は透湿性を有するので、施工途中における雨水等や、完成後に水をこぼした際に、排湿を妨げない。
【００１３】
また、本発明の床用断熱材において、前記側部は、前記中央部と同材料または柔軟性を有する別材料からなる構成を有している。
【００１４】
この構成により、板状もしくはマット状の断熱材を切断して中央部および側部を形成する際には、例えば、切断された側部を９０度回転させることにより、幅方向に柔軟な側部を形成することができる。
【００１５】
また、本発明の床用断熱材は、前記側部は前記中央部端面に接触し、前記側部の底面が前記支持材に貼着されている構成を有している。
【００１６】
この構成により、中央部端面に接触して側部を設け、側部の底面を支持材に貼着しているので、支持材により中央部および側部が一体化され、１個の床用断熱材として取り扱うことができる。また中央部と側部とを接着剤等により接着させる必要がないため比較的簡便に断熱材を製造することが可能となる。
【００１７】
また、本発明の床用断熱材は、前記側部は、前記中央部の端面に接着されている構成を有している。
【００１８】
この構成により、側部は中央部の端面に接着されているので、中央部および側部が一体化されて、１個の床用断熱材として取り扱うことができる。
【００１９】
また、本発明の床用断熱材は、前記側部は、前記中央部から離れた位置で底面が前記支持材に貼着されていること構成を有している。
【００２０】
この構成により、側部は、中央部から離れた位置で底面が支持材に貼着されているので、支持材により中央部および側部が一体化され、１個の床用断熱材として取り扱うことができる。また、中央部と側部が同質の繊維系断熱材で形成される場合、積層方向を変更する必要がないため、製造ライン上で支持材に貼着することが可能である。
なお、側部を支持材に貼着する際には、側部の断面の向きを中央部と同様に、幅方向の圧縮に強くなる方向で貼着することにより、設置時には回転して幅方向に柔軟となる。
【００２１】
また、前記側部の底面は、前記中央部と反対側端辺から５ｍｍ以上離れて前記支持材に貼着されている構成を有している。
【００２２】
この構成により、側部の底面は支持材に貼着されているので、床用断熱材を設置する際に側部が圧縮されても、側部底面に貼着されていない支持材は側部に沿って形状が保持され、長期的な保持力が期待できる。
【００２３】
また、本発明の床用断熱材は、前記側部の底面は、前記支持材に貼着されていない構成を有している。
【００２４】
この構成により、側部が中央部の端面に接着されている場合においては、側部の底面は支持材に貼着されていないので、側部を幅方向へ圧縮する際に、支持材を撓ませることなく床用断熱材を設置できる。
【００２５】
また、本発明の床用断熱材は、前記中央部がグラスウールである場合、密度が１６〜６４ｋｇ／ｍ3である構成を有している。
【００２６】
この構成により、中央部にグラスウールを用いる場合には、密度を１６〜６４ｋｇ／ｍ3とする。また、より好ましくは、２４〜３２ｋｇ／ｍ3とする。これは、密度が高すぎると重量に対しての断熱効果が小さくなり、密度が低すぎると剛性が不足して撓みを生じるためである。
【００２７】
また、本発明の床用断熱材は、側部２２は、側部単独で幅方向に９０％押圧したときの反発力が０．０１〜２．０ｋＮ／ｍ2であることが好ましく、更に前記側部がグラスウールである場合、密度が８〜４８ｋｇ／ｍ3である構成を有している。
【００２８】
この構成により、断熱材幅方向に圧縮して大引等の枠内への充填を容易にし、断熱材は大引等の枠内に隙間なく充填されて保持されるため、断熱欠損が小さくなる。また、側部にグラスウールを用いる場合には、密度を８〜４８ｋｇ／ｍ3とし、中央部に比して密度を低くする。また、より好ましくは、１６〜２４ｋｇ／ｍ3とする。これは、密度が高すぎると柔軟性に乏しくなり、密度が低すぎると強度が不足して床用断熱材撓みが大きくなるためである。
【００２９】
さらに、本発明の床用断熱材は、前記側部の幅が、５ｍｍ〜１５０ｍｍである構成を有している。
【００３０】
この構成により、側部の幅を５ｍｍ〜１５０ｍｍとする。より好ましくは１０ｍｍ〜５０ｍｍとする。これにより、側部の幅が大きい場合に生じ易い層間剥離や、側部の幅が小さすぎる場合の反発力不足を防止することができる。
【発明の効果】
【００３１】
本発明は、幅方向の圧縮力に強いすなわち幅方向に縮みにくい中央部の幅方向両側に、幅方向に柔軟すなわち幅方向に縮みやすい側部を設けたので、床用断熱材に幅方向の圧縮力を作用させると、側部が圧縮されて幅方向の寸法を小さくできる。これにより、現場で床用断熱材を設置する例えば大引間の寸法が小さい場合でも、幅詰めを行うことなく床用断熱材を取り付けることができ、作業効率を改善するとともに廃材の発生を抑えることができるという効果を有する床用断熱材を提供することができるものである。
【図面の簡単な説明】
【００３２】
【図１】本発明に係る床用断熱材の取付作業の斜視図である。
【図２】本発明に係る第１実施形態の床用断熱材の断面図である。
【図３】不織布と側部との接着範囲を示す拡大断面図である。
【図４】本発明に係る第２実施形態の床用断熱材の断面図である。
【図５】本発明に係る第３実施形態の床用断熱材の断面図である。
【図６】従来の断熱材の斜視図である。
【図７】従来の床用断熱材の斜視図である。
【発明を実施するための形態】
【００３３】
（第１実施形態）
以下、本発明にかかる第１実施形態の床用断熱材について、図面を用いて説明する。
図１に示すように、第１実施形態にかかる床用断熱材１０Ａは、住宅等の床組１１と床板（図示省略）との間に取り付けて、主に断熱性の向上を図るものである。例えば、床組を構成する大引１２間又は、根太と根太の間に取り付けて使用することができる。
【００３４】
図２に示すように、床用断熱材１０Ａは、幅方向中央部にあって幅広な中央部２１と、中央部２１の幅方向両側に側部２２と、少なくとも中央部２１の底面２１１に貼着された支持材２３を有する。
中央部２１および側部２２は、板状もしくはマット状の断熱材で形成される。第１実施形態に係る床用断熱材１０Ａでは、側部２２の側面２２２は中央部２１の端面２１２に接着はしていないが接触しており、中央部２１の底面２１１および側部２２の底面２２１は、同じ支持材２３が貼着されている（図２中破線が接着面を示す）。
【００３５】
中央部２１は、幅方向の圧縮力に強い構造となっている。例えば、グラスウールやロックウール等の無機系繊維断熱材を用いることができる。これらの繊維系断熱材を用いる場合は、繊維方向を幅方向と略同一にすることにより、幅方向の圧縮力に強くなる。あるいは、ポリエステル樹脂繊維断熱材のようなプラスチック系繊維断熱材を用いることもできる。
【００３６】
例えば、中央部２１に無機系繊維断熱材を用いる場合、無機系繊維断熱材の密度は、１６〜６４ｋｇ／ｍ3が望ましい。より好ましくは、２４〜４８ｋｇ／ｍ3とする。
これは、密度が高すぎると重量に対しての断熱効果が小さく、密度が低すぎると剛性が不足して撓みを生じるためである。
【００３７】
あるいは、中央部２１に、押出発泡ポリスチレンフォーム、ビーズ法ポリスチレンフォーム、ポリエチレンフォーム、フェノールフォーム、硬質ウレタンフォーム等の板状発泡プラスチック系断熱材を用いることもできる。これらの発泡系断熱材を用いる場合は、幅方向および厚さ方向ともに圧縮力に強いので、方向性は問わない。
【００３８】
一方、側部２２は、幅方向に柔軟な構造となっている。なお、すでに前述したが、「柔軟」という言葉は、単に軟らかいだけでなく、ある程度弾性変形して、元の状態に復帰しようとする性質を意味するものとする。
側部２２は、側部単体を幅方向に９０％押圧したときの反発力が０．０１〜  ２．０kN/ｍ2であることが好ましく、０．１５〜１．０kN/ｍ2であることがより好ましい。前記値が０．０１kN/ｍ2未満であると大引等の枠内と断熱材との間に隙間が生じる場合があり断熱欠損が大きくなるため好ましくなく、前記値が２．０kN/ｍ2を超えると幅方向に圧縮して大引等の枠内に充填し難くなるため好ましくない。なお、前記反発力の評価方法は、ストログラフを用い、試験体（300mm × 300mm）を10mm/minで９０％圧縮させたときの単位面積あたりの圧縮強度を評価することによって得られる。
【００３９】
従って、中央部２１に用いた発泡系断熱材は不適であり、前述した無機系繊維断熱材やプラスチック系繊維断熱材等の繊維系断熱材を用いる。このとき、無機繊維系断熱材の場合は、幅方向に柔軟となるように、繊維方向を厚さ方向と略同一にする。
中央部２１に繊維系断熱材を用いる場合には、繊維系断熱材の幅方向両端を側部２２の厚さ（すなわち、中央部２１の厚さＨ１）と等しい幅で切断し、切断した部位を９０度回転させることにより、幅Ｂ（＝Ｈ１）の側部２２を形成することができる。これは、オンライン加工に適する。
これにより、側部２２においては、圧縮力に強い繊維方向が厚さ方向となり、柔軟性を有する繊維方向に直交する方向が幅方向となるので、幅方向に柔軟性を有することになる。
【００４０】
あるいは、中央部２１に発泡系断熱材を用いる場合等には、中央部２１とは別材質で別途形成したものを側部２２として用いる。なお、中央部２１に繊維系断熱材を用いる場合でも、側部２２を繊維系断熱材で別途形成しておいて、用いることもできる。いずれの場合にも、側部２２の厚さは、中央部の厚さと一致させるのが望ましい。
【００４１】
なお、側部２２にグラスウールまたはロックウールを用いる場合、密度が８〜４８ｋｇ／ｍ3が望ましい。より好ましくは、１６〜２４ｋｇ／ｍ3とする。
これは、密度が高すぎると柔軟性に乏しくなり、密度が低すぎると強度が不足して撓みが大きくなるためである。
【００４２】
なお、側部２２の幅Ｂは、５ｍｍ〜１５０ｍｍとするのが望ましい。より好ましくは、１０ｍｍ〜５０ｍｍとする。
これにより、幅が大きい場合に生じ易い層間剥離や、幅が小さすぎる場合の反発力不足を防止することができる。
【００４３】
支持材２３は、側部２２の外側端面に貼着されていてもよく、また側部２２の底面２２１の全面又は部分的に貼着されていてもよいが、図３に示すように、側部２２の底面２２１は、中央部２１と反対側端部すなわち外側端部２２３から５ｍｍ以上の範囲Ｒは支持材２３に貼着されておらず、中央部２１側は貼着されているのが望ましい。
これにより、床用断熱材１０Ａを設置する際に側部２２が圧縮されても、側部２２の底面２２１に貼着されていない支持材２３は側部２２に沿って形状が保持され、長期的な保持力が期待できる。
【００４４】
また、支持材２３は、透湿性を有するものであり、柔軟性、引っ張り強度を有することが好ましい。例えば、ポリエステル樹脂不織布、ガラス繊維不織布、ガラス繊維とポリエステル繊維との不織布等が好適である。
【００４５】
以上、説明した本発明に係る第１実施形態の床用断熱材１０Ａによれば、幅方向の圧縮力に強いすなわち幅方向に縮みにくい中央部２１の幅方向両側に、幅方向に柔軟すなわち幅方向に縮みやすい側部２２を設けたので、床用断熱材１０Ａに幅方向の圧縮力を作用させると、側部２２が圧縮されて幅方向の寸法を小さくできる。これにより、現場で床用断熱材１０Ａを設置する例えば大引１２間の寸法が小さい場合でも、幅詰めを行うことなく床用断熱材１０Ａを取り付けることができ、作業効率を改善してコストダウンを図ることができる。また、本形態では、後述する製造例２のように中央部と側部とを接着させる必要がないため比較的簡便に断熱材を製造することが可能となる。
【００４６】
また、幅方向の圧縮力を取り除くと、柔軟な側部２２は幅方向に復帰しようとして、その弾性力及び反発力により床用断熱材１０Ａは大引１２間に隙間なく充填され支持材にて保持されるので、支持材を取り付ける作業においても別途断熱材を支えておく必要がないため作業性が向上する。また大引等の枠内に断熱材が隙間なく充填されるため、断熱欠損が小さくなる。
さらに、幅詰めを行わないことにより、作業効率が向上すると共に建築現場での廃材の発生を削減することができる。
【００４７】
なお、幅広の中央部２１の底面２１１には、強度を有する支持材２３が貼着されている。支持材２３は透湿性を有するので、施工途中における雨水等や、完成後に水をこぼした際に、排湿を妨げることがなく、床構造体等の乾燥状態が保たれ、腐食による劣化を防ぐことができる。
【００４８】
また、板状もしくはマット状の繊維系断熱材を切断して中央部２１および側部２２を形成する際には、切断された側部２２を９０度回転させることにより、幅方向に柔軟な側部２２を形成することができる。
【００４９】
さらに、中央部２１の端面２１２に接触して側部２２を設け、側部２２の底面２２１を支持材２３に貼着しているので、支持材２３により中央部２１および側部２２が一体化され、１個の床用断熱材１０Ａとして取り扱い性が向上する。
【００５０】
（第２実施形態）
次に、本発明に係る第２実施形態の床用断熱材１０Ｂについて説明する。
なお、前述した第１実施形態にかかる床用断熱材１０Ａと共通する部位には同じ符号を付して、重複する説明を省略することとする。
【００５１】
図４に示すように、第２実施形態の床用断熱材１０Ｂでは、側部２２の側面２２２は、中央部２１の端面２１２に接着されている（図４中破線が接着面を示す）。そして、側部２２の底面２２１は、支持材２３に貼着されていない。
【００５２】
以上、説明した本発明に係る第２実施形態の床用断熱材１０Ｂによれば、前述した第１実施形態にかかる床用断熱材１０Ａと同様の効果を得ることができる。また、側部２２の側面２２２が中央部２１の端面２１２に接着されているので、中央部２１および側部２２が一体化されて、１個の床用断熱材１０Ｂとして取り扱うことができる。
【００５３】
また、側部２２の底面２２１が支持材２３に貼着されていないので、側部２２を幅方向へ圧縮する際に、支持材２３を撓ませることなく床用断熱材１０Ｂを設置できる。
【００５４】
（第３実施形態）
次に、本発明に係る第３実施形態の床用断熱材１０Ｃについて説明する。
なお、前述した第１実施形態にかかる床用断熱材１０Ａまたは第２実施形態に係る床用断熱材１０Ｂと共通する部位には同じ符号を付して、重複する説明を省略することとする。
【００５５】
図５に示すように、第３実施形態の床用断熱材１０Ｃでは、側部２２は、中央部２１から離れた（間隔Ｄ）位置で底面２２１が支持材２３に貼着されている。
【００５６】
以上、説明した本発明に係る第３実施形態の床用断熱材１０Ｃによれば、前述した第１実施形態にかかる床用断熱材１０Ａと同様の効果を得ることができる。
また、側部２２は、中央部２１から離れた位置で底面２２１が支持材２３に貼着されているので、不織布２３により中央部２１および側部２２が一体化され、１個の床用断熱材１０Ｃとして取り扱うことができる。
【００５７】
また、側部２２は中央部２１から離れているので、床用断熱材１０Ｃを設置する際に、不織布２３ごと側部２２を中央部２１側へ９０度回転させながら設置することができる。
また、中央部と側部が同質の繊維系断熱材で形成される場合、積層方向を変更する必要がないため、製造ライン上で支持材に貼着することが可能である。
なお、側部２２を不織布２３に貼着する際には、側部２２の断面の向きを中央部２１と同様に、幅方向の圧縮に強くなる方向で貼着することにより、設置時には回転して幅方向に柔軟となる。
また、間隔Ｄを側部２２の高さＨ２（＝Ｈ１）と等しく設定し、側部２２の幅Ｂを中央部２１の高さＨ１と等しく設定することにより、側部２２を９０度回転させた際に、側部２２と中央部２１とが接触する。
【００５８】
本発明の施工例としては、本発明の床用断熱材を幅方向に圧縮して大引等の枠体に充填した後、下面の支持材から延出した部分を枠体の上面に留めて取り付ける施工方法が好適に採用される他、本発明の床用断熱材が弾性力、反発力を有することから床のリフォームなどの場合は、大引等の枠体の下面から本床用断熱材を充填し、支持材を枠体の下面又は側面に留めて取り付ける施工方法も好適に採用される。
【００５９】
なお、本発明の床用断熱材は、前述した各実施形態に限定されるものでなく、適宜な変形，改良等が可能である。
【符号の説明】
【００６０】
１０Ａ、１０Ｂ、１０Ｃ  床用断熱材
２１  中央部
２１１  底面
２１２  端面
２２  側部
２２１  底面
２２３  外側端部（反対側端部）
２３  不織布（支持材）
Ｂ  側部の幅
【図１】
2012031565.tif 000003
【図２】
2012031565.tif 000004
【図３】
2012031565.tif 000005
【図４】
2012031565.tif 000006
【図５】
2012031565.tif 000007
【図６】
2012031565.tif 000008
【図７】
2012031565.tif 000009